(57)【要約】  コンテンツの利用可能時間およびアクセス権限によるコンテンツ配信システムであって、操作可能に接続される時間コンテンツカプセル／モジュール（１００）、位置コンテンツカプセル／モジュール（２００）及び／又は生命コンテンツカプセル／モジュール（３００）を含み、時間コンテンツカプセル／モジュール（１００）は、配信予定のコンテンツ／情報が特定の期間内にしかアクセスできないように、送信者が指定した配信予定の受信者／グループにアクセス可能な時間制限を有するコンテンツ／情報カプセル／モジュールを作成且つ送信するように構成され、位置コンテンツカプセル／モジュール（２００）は、配信予定のコンテンツ／情報が特定の物理的位置または範囲内にしかアクセスできないように、送信者が指定した配信予定の受信者／グループにアクセス可能な位置制限を有するコンテンツ／情報カプセル／モジュールを作成且つ送信するように構成され、生命コンテンツカプセル／モジュール（３００）は、配信予定のコンテンツ／情報が特定のユーザの状態制限が解消された場合しかアクセスできないように、送信者が指定した配信予定の受信者／グループにユーザ状態制限を有するコンテンツ／情報カプセル／モジュールを作成且つ送信するように構成される、ことを特徴とするコンテンツ配信システム。
2020529082.tif 000002
【特許請求の範囲】
【請求項１】
コンテンツ配信装置であって、操作可能に接続されるプロセッサと、ユーザ入力ポートと、コンテンツデータ出力設備とを備え、
前記プロセッサは、保存されたコマンドを実行し、前記コンテンツデータ出力設備にメニューを表示し、コンテンツの受信者または受信グループを選択し、配信予定のコンテンツを作成または選択し、配信予定のコンテンツに関連する一つまたは複数の所定の制限を送信及び／又は保存し、前記所定の制限は、アクセス可能な時間制限、アクセス可能な位置制限及び／又はユーザ状態制限を含み、前記プロセッサは、保存されたコマンドを実行し、前記ユーザ入力ポートで行われた選択または所定の制限に応じて、前記選択または所定の制限に基づいたコンテンツ情報を作成、保存及び／又は直接送信し、前記コンテンツ情報を保存して直接送信しない場合、前記プロセッサは、タイマーを操作してユーザ状態を追跡および保存し、前記ユーザ状態は、ユーザのオンライン／アクティビティー時間と、ユーザのオフライン／非アクティビティーの時間モード及び／又は継続時間とを含み、前記プロセッサは、追跡結果に応じて、検証情報を送信してユーザ状態を確認し、コンテンツの送信者状態を更新またはリセットするか、及び／又は確認または更新された前記ユーザ状態に基づいて、選定された受信者または受信グループに、前記選択または所定の制限に基づいたコンテンツ情報を送信する、ことを特徴とするコンテンツ配信装置。
【請求項２】
前記アクセス可能な時間制限は、配信予定のコンテンツがアクセス可能な特定の時間または時間範囲を含み、及び／又は前記アクセス可能な位置制限は、配信予定のコンテンツがアクセス可能な特定の領域または領域の範囲を含み、及び／又は前記ユーザ状態制限は、配信予定のコンテンツがアクセス可能な特定の状態または条件であり、ユーザのオンライン／アクティビティー時間、ユーザのオフライン／非アクティビティー時間モードの変化、及び／又は継続時間を含む、ことを特徴とする請求項１に記載のコンテンツ配信装置。
【請求項３】
前記検証情報は、対話型の電子メール、ＳＭＳ、ＭＭＳ、及び／又はリアルタイム通信ソフトウェアに基づくクエリ情報を含み、応答の受信によりユーザ状態を確認し、対応の応答を受信する場合、前記プロセッサは、ユーザ状態をリセットし、そうでない場合、所定の状態または閾値に達するまでユーザ状態を更新し、及び／又は選定された受信者または受信グループに、前記選択または所定の制限に基づいたコンテンツ情報を送信する、ことを特徴とする請求項１または請求項２に記載のコンテンツ配信装置。
【請求項４】
前記プロセッサは、前記選択または所定の制限に基づいたコンテンツ情報を形成し、前記コンテンツデータ出力設備に情報または提示を表示し、前記コンテンツ情報は、所定の制限の解消に関連するリセット可能なパラメーターまたは累増可能な変数の状態または数値を含み、前記状態または数値が所定値または閾値になると、前記プロセッサは、選定された受信者または受信グループに、前記選択または所定の制限に基づいたコンテンツ情報を送信し、及び／又は前記コンテンツ情報は、前記コンテンツの少なくとも１つの部分または要約部分の情報及び／又は完全な前記コンテンツまたはコンテンツデータにアクセスする際に満たす必要な条件または解消されたい制限を提示する関連情報を含む、ことを特徴とする請求項１〜請求項３の何れか一つに記載のコンテンツ配信装置。
【請求項５】
前記コンテンツデータ出力設備は、表示パネルであり、前記コンテンツのコンテンツデータは、前記表示パネルに表示されるウェブリング、ビデオデータ及び／又はテキストデータを含む、ことを特徴とする請求項１〜請求項４の何れか一つに記載のコンテンツ配信装置。
【請求項６】
コンテンツ配信装置であって、プロセッサを備え、前記プロセッサは、保存されたコマンドを実行すると、ユーザのリクエストまたは自動生成された時間順のリクエストに応じて、選定されたコンテンツの受信者または受信グループと、コンテンツへのアクセスに関連する一つまたは複数の所定の制限のコンテンツ情報とを提供し、前記所定の制限は、アクセス可能な時間制限、アクセス可能な位置制限及び／又は送信者状態制限を含み、前記プロセッサは、保存されたコマンドを実行し、現在のユーザが選定されたコンテンツの受信者または受信グループに属するかどうか、および前記所定の制限に応じて前記所定の制限が満たされているかまたは解消されたかどうかを検出し、前記コンテンツ情報を提供するかどうかを確定し、送信者状態を検出する場合、前記プロセッサは、タイマーを操作してユーザ状態を追跡または保存し、前記ユーザ状態は、ユーザのオンライン／アクティビティー時間、ユーザのオフライン／非アクティビティー時間モード及び／又は継続時間を含み、前記プロセッサは、追跡結果により、検証情報を送信して、ユーザ状態を確認し、ユーザ状態を更新またはリセットし、及び／又は確認または更新された前記ユーザ状態に基づいて、選定された受信者または受信グループに前記コンテンツ情報を送信する、ことを特徴とするコンテンツ配信装置。
【請求項７】
前記所定の制限が満たされているかどうかまたは解消されたかどうかを検出する時、前記プロセッサは、保存されたコマンドを実行し、現在の時間がアクセス可能な時間制限を満たしているかどうか、現在の位置座標がアクセス可能な位置制限を満たしているかどうか、及び／又は現在の送信者状態が送信者状態制限を満たしているかどうかを検出し、前記コンテンツ情報を提供するかどうかを確定し、及び／又は前記検証情報は、対話型の電子メール、ＳＭＳ、ＭＭＳ、及び／又はリアルタイム通信ソフトウェアに基づくクエリ情報を含み、応答の受信によりユーザ状態を確認し、対応の応答を受信する場合、前記プロセッサは、ユーザ状態をリセットし、そうでない場合、所定の状態または閾値に達するまでユーザ状態を更新し、及び／又は選定された受信者または受信グループに、前記選択または所定の制限に基づいたコンテンツ情報を送信し、及び／又は前記コンテンツ情報は、前記コンテンツの少なくとも１つの部分または要約部分の情報及び／又は完全な前記コンテンツまたはコンテンツデータにアクセスする際に満たす必要な条件または解消されたい制限を提示する関連情報を含む、ことを特徴とする請求項６に記載のコンテンツ配信装置。
【請求項８】
前記所定の制限が満たされたかどうかまたは解消されたかどうかを検出する時、前記プロセッサは、保存されたコマンドを実行し、現在時間がアクセス可能な時間制限に規定された情報公開時間よりも早く、またはアクセス可能な時間制限に規定された情報開示の期間内にあるかどうかを検出し、前記コンテンツ情報を提供するかどうかを確定する、ことを特徴とする請求項６または請求項７に記載のコンテンツ配信装置。
【請求項９】
前記所定の制限が満たされたかどうかまたは解消されたかどうかを検出する時、前記プロセッサは、保存されたコマンドを実行し、現在の位置座標をリクエストし、検出された前記位置座標が対応するモバイル通信事業者のＭＣＣおよびＭＮＣコードと一致するかどうか、及び／又は検出された前記位置座標と現在のＩＰソースの位置とは同一国または地域に属するかどうかを検出し、前記コンテンツ情報を提供するかどうかを確定する、ことを特徴とする請求項６または請求項８に記載のコンテンツ配信装置。
【請求項１０】
請求項１〜請求項５の何れか一つに記載のコンテンツ配信装置と、請求項６〜請求項９の何れか一つに記載のコンテンツ配信装置とを備える、コンテンツ配信に用いられるシステム。
【請求項１１】
コンテンツの利用可能時間およびアクセス権限によるコンテンツ配信システムであって、操作可能に接続される時間コンテンツカプセル／モジュール（１００）、位置コンテンツカプセル／モジュール（２００）及び／又は生命コンテンツカプセル／モジュール（３００）を含み、時間コンテンツカプセル／モジュール（１００）は、配信予定のコンテンツ／情報が特定の期間内にしかアクセスできないように、送信者が指定した配信予定の受信者／グループにアクセス可能な時間制限を有するコンテンツ／情報カプセル／モジュールを作成且つ送信するように構成され、位置コンテンツカプセル／モジュール（２００）は、配信予定のコンテンツ／情報が特定の物理的位置または範囲内にしかアクセスできないように、送信者が指定した配信予定の受信者／グループにアクセス可能な位置制限を有するコンテンツ／情報カプセル／モジュールを作成且つ送信するように構成され、生命コンテンツカプセル／モジュール（３００）は、配信予定のコンテンツ／情報が特定のユーザの状態制限が解消された場合しかアクセスできないように、送信者が指定した配信予定の受信者／グループにユーザ状態制限を有するコンテンツ／情報カプセル／モジュールを作成且つ送信するように構成される、ことを特徴とするコンテンツ配信システム。
【請求項１２】
人体の生理的パラメーターまたはバイタルサインを検出できる多機能ウェアラブルデバイスをさらに含み、リアルタイムの検出結果または特定の時間帯または期間制限の検出結果をコンテンツ配信システムに送信し、コンテンツ送信者の生命状態を判断し、測定結果と事前に保存された履歴データとを比較することで、コンテンツ送信者がまだ生きているかどうかを直接的または補助的な証拠として判断する、ことを特徴とする請求項１１に記載のコンテンツ配信システム。
【請求項１３】
コンテンツ配信方法であって、前記コンテンツ配信方法は、
プロセッサは保存されたコマンドを実行し、コンテンツデータ出力設備にメニューを表示し、コンテンツ受信者または受信グループを選択し、配信予定のコンテンツを作成または選択し、配信予定のコンテンツの送信及び／又はアクセスに関連する一つまたは複数の所定の制限を作成または選択するステップであって、前記所定の制限は、アクセス可能な時間制限、アクセス可能な位置制限及び／又はユーザ状態制限を含む、ステップと、
前記プロセッサは、保存されたコマンドを実行し、ユーザ入力ポートで行われた選択または所定の制限に応じて、前記選択または所定の制限に基づいたコンテンツ情報を作成、保存及び／又は直接送信するステップと、
前記コンテンツ情報を保存して直接送信しない場合、前記プロセッサは、タイマーを操作して、ユーザ状態を追跡および保存するステップであって、前記ユーザ状態はユーザのオンライン／アクティビティー時間、ユーザのオフライン／非アクティビティー時間モード及び／又は継続時間を含む、ステップと、
前記プロセッサは、追跡結果により、検証情報を送信して、ユーザ状態を確認し、ユーザ状態を更新またはリセットするか、及び／又は確認または更新された前記ユーザ状態に基づいて、選定された受信者または受信グループに、前記選択または所定の制限に基づいたコンテンツ情報を送信するステップとを含む、ことを特徴とするコンテンツ配信方法。
【請求項１４】
コンテンツ配信方法、前記コンテンツ配信方法は、
プロセッサは、保存されたコマンドを実行し、ユーザのリクエストまたは自動生成された時間順のリクエストに応じて、選定されたコンテンツの受信者または受信グループと、コンテンツのアクセスに関連する一つまたは複数の所定の制限のコンテンツ情報とを提供するステップであって、前記所定の制限は、アクセス可能な時間制限、アクセス可能な位置制限及び／又は送信者状態制限を含むステップと、
前記プロセッサは、保存されたコマンドを実行し、前記所定の制限に応じて、現在のユーザが選定されたコンテンツの受信者または受信グループに属するかどうか、現在の時間がアクセス可能な時間制限を満たしているかどうか、位置座標がアクセス可能な位置制限を満たしているかどうか、及び／又は現在の送信者状態が送信者状態制限を満たしているかどうかを検出し、前記コンテンツ情報を提供するかどうかを確定するステップと、
送信者状態を検出する時、前記プロセッサは、タイマーを操作してユーザ状態を追跡および保存するステップであって、前記ユーザ状態は、ユーザのオンライン／アクティビティー時間、ユーザのオフライン／非アクティビティー時間モード及び／又は継続時間を含むステップと、
前記プロセッサは、追跡結果により、検証情報を送信し、ユーザ状態を確認し、ユーザ状態を更新またはリセットし、及び／又は確認または更新された前記ユーザ状態に基づいて、選定された受信者または受信グループに、前記コンテンツ情報を送信するステップとを含む、ことを特徴とするコンテンツ配信方法。
【発明の詳細な説明】
【技術分野】
【０００１】
本発明は、コンテンツ配信方法及び装置に関し、より詳細には、コンピューター又は通信ネットワークを介して、デジタルコンテンツ又はコンテンツデータを配信する配信方法、装置及び／又はシステムに関する。
【背景技術】
【０００２】
従来、様々なコンテンツ配信方法及び装置があるが、それらのほとんどは、リアルタイム配信を使用して、コンテンツ全体をできるだけ早く配信および伝送するものであり、特定の、特にイベント指向又はトリガーされたコンテンツ配信への応用では、従来のコンテンツ配信方法および装置は適用できない。
【発明の概要】
【発明が解決しようとする課題】
【０００３】
本発明は、少なくともコンテンツ配信装置であって、操作可能に接続されるプロセッサと、ユーザ入力ポートと、コンテンツデータ出力設備とを備え、前記プロセッサは、保存されたコマンドを実行し、前記コンテンツデータ出力設備にメニューを表示し、コンテンツの受信者または受信グループを選択し、配信予定のコンテンツを作成または選択し、配信予定のコンテンツに関連する一つまたは複数の所定の制限を送信及び／又は保存し、前記所定の制限は、アクセス可能な時間制限、アクセス可能な位置制限及び／又はユーザ状態制限を含み、前記プロセッサは、保存されたコマンドを実行し、前記ユーザ入力ポートで行われた選択または所定の制限に応じて、前記選択または所定の制限に基づいたコンテンツ情報を作成、保存及び／又は直接送信し、前記コンテンツ情報を保存して直接送信しない場合、前記プロセッサは、タイマーを操作してユーザ状態を追跡および保存し、前記ユーザ状態は、コンテンツの送信者のオンライン／アクティビティー時間と、コンテンツの送信者のオフライン／非アクティビティーの時間モード及び／又は継続時間とを含み、前記プロセッサは、追跡結果に応じて、検証情報を送信してユーザ状態を確認し、コンテンツの送信者状態を更新またはリセットするか、及び／又は確認または更新された前記ユーザ状態に基づいて、選定された受信者または受信グループに、前記選択または所定の制限に基づいたコンテンツ情報を送信する、ことを特徴とするコンテンツ配信装置に関する。
【０００４】
本明細書においては、多機能携帯電話（スマートフォン、Ｓｍａｒｔｐｈｏｎｅ）は、コンテンツ配信装置の例として挙げられている。
【図面の簡単な説明】
【０００５】
以下、図面を参照しながら、本発明の実施形態についての詳細を説明する。
【図１】本明細書に開示された例示的なコンテンツ配信装置／システムのブロック図である。
【図１Ａ】本明細書に開示された別の例示的なコンテンツ配信装置のブロック図である。
【図２】本開示による例示的な生命コンテンツカプセルコンテンツ情報を伝送する論理チャートである。
【図３】本開示による例示的な時間及び／又は位置コンテンツカプセルのコンテンツ情報を抽出する論理チャートである。
【発明を実施するための形態】
【０００６】
以下、本発明の技術的な内容の詳細を理解するために、図面を参照しながら、本発明の好ましい実施形態を説明する。
【０００７】
本開示は、コンピューター又は通信ネットワークを介して、所定の時間制限、位置制限及び／又は状態制限に基づいて、イベント指向又はトリガーされたデジタルコンテンツ又はコンテンツデータを配信する配信方法、装置及び／又はシステムに関する。
【０００８】
本開示によれば、個人のプライバシー、コンテンツの利用可能時間およびアクセス権限などに関連する特定のアプリケーションにおいて、人々はしばしば、非リアルテイム配信、及び／又はアクセス権限を予め設定した配信機構により少なくとも一部の特定または重要なコンテンツ、例えば、ビジネスおよび特定のイベント／活動は、期間限定のプロモーションおよびセール情報、機密性の高いビジネスおよび個人情報（使用者／会社と他の会社との合併または合併の発表、個人プロモーションの情報、送信者の特定者／グループまたは機関に対する前もっての指定及び／又は遺嘱など）を伝送することを必要とし、この場合は、主流の従来技術のコンテンツ配信方法および装置は適用できない。
【０００９】
図１は、本開示による例示的なコンテンツ配信装置／システム１０のブロック図を示している。コンテンツ配信装置／システム１０は、コンテンツの利用可能時間およびアクセス権限によるコンテンツ配信システムであって、操作可能に接続される時間コンテンツカプセル／モジュール（１００）、位置コンテンツカプセル／モジュール（２００）及び／又は生命コンテンツカプセル／モジュール（３００）を含み、時間コンテンツカプセル／モジュール（１００）は、配信予定のコンテンツ／情報が特定の期間内にしかアクセスできないように、送信者が指定した配信予定の受信者／グループにアクセス可能な時間制限を有するコンテンツ／情報カプセル／モジュールを作成且つ送信するように構成され、位置コンテンツカプセル／モジュール（２００）は、配信予定のコンテンツ／情報が特定の物理的位置または範囲内にしかアクセスできないように、送信者が指定した配信予定の受信者／グループにアクセス可能な位置制限を有するコンテンツ／情報カプセル／モジュールを作成且つ送信するように構成され、生命コンテンツカプセル／モジュール（３００）は、配信予定のコンテンツ／情報が特定のユーザの状態制限が解消された場合しかアクセスできないように、送信者が指定した配信予定の受信者／グループにユーザ状態制限を有するコンテンツ／情報カプセル／モジュールを作成且つ送信するように構成される、ことを特徴とするコンテンツ配信システムである。これによって、特定または重要なコンテンツが時期尚早または不適切な時間に開けられることを防止し、且つ、コンテンツの送信者が予定された公開時間の前に、特定または重要なコンテンツを再検査して修正することができる。これによって、プロモーションやプロモーション情報などの特定または重要なコンテンツが、適切でない場所に公開され、予測の効果を得られず、場合によっては反対な効果を奏し得ること（例えば、商品やサービスのプロモーションやプロモーション情報に興味がある人が情報送信者または予定された位置から離れた場合、近くにある同様の商品またはサービスを提供するプロバイダーに直接連絡する傾向がある）を回避することができる。これによって、特定または重要なコンテンツを、所定の範囲内のコンテンツの目標者またはコンテンツに興味がある人に配信させ、コンテンツの役割を最大化することができる。また、その他の人／グループまたは機関の予め設定された指示及び／又は遺嘱などの特定または重要なコンテンツが時期尚早または不適切な時間に公開されることによる不可逆的な結果を招くことを防止することができ、且つコンテンツの送信者が公開予定の前に特定または重要なコンテンツを再検査して修正することができる。上述した各コンテンツカプセル／モジュールは、後述するように、必要に応じて、互いに連携したり、独立して動作したりすることができる。
【００１０】
本開示によれば、送信者またはユーザは、所定時間及び／又は場所でのみ、その他の指定された受信者またはユーザ（例えば、受信者の開く時間及び／又は受信者位置の時間及び／又は位置コンテンツカプセルに基づく）にコンテンツを伝送することができる。また、本開示では、ユーザが死後の所定時間及び／又は場所にコンテンツ（例えば、送信者状態に基づく生命コンテンツカプセル）をその他の指定されたユーザに伝送することができる。されに、本開示によれば、ユーザは、一定の時間及び／又は場所範囲内にのみ、その他のユーザにコンテストまたはプロモーション（例えば、コンテスト／プロモーションの詳細に基づくコンテスト／プロモーションのコンテンツカプセル）を提供することができる。
【００１１】
本開示の前述した各コンテンツカプセル／モジュールまたはコンテンツ配信カプセル／モジュール（ｃｏｎｔｅｎｔ  ｄｅｌｉｖｅｒｙ  ｃａｐｓｕｌｅ／ｍｏｄｕｌｅ）（時間コンテンツカプセル、位置コンテンツカプセル、生命コンテンツカプセルを含む）は、送信者が予め指定した受信者に対する関連の制限またはロックされたコンテンツ／情報カプセル／モジュールまたは関連のソフトウェアモジュール及び／又はハードウェアモジュールを備えた設備および受送信ユニットである。具体的には、ウェブサイト、電子メールなどを電子形式で保存および表示する各コンテンツ／情報、通信プログラムに使用および保存される電子情報またはデータ、または上述したものに関連するソフトウェアモジュール及び／又はハードウェアモジュールを備えた設備および受送信ユニットが挙げられる。
【００１２】
本開示による技術的解決策は、コンテンツ配信／伝送システムに関し、送信者が使用するコンテンツを設定、またはコンテンツの特徴（所定時間１／開始時間、所定時間２／終了時間、所定位置１、規定された非アクティビティーまたはオフライン時間）を設定するコンピューティング設備に関する。いくつの実施形態においては、ユーザは、時間コンテンツカプセル、位置コンテンツカプセル及び／又は生命コンテンツカプセルを使用して規定されたコンテンツを作成または受信・送信する。なお、このコンテンツは暗号化され、サーバーまたはサーバーグループ（サーバー端末）に伝送して、伝送されたものがサーバーに保存される。
【００１３】
本開示によれば、時間コンテンツカプセルを使用する場合、コンテンツ配信装置のプロセッサは、保存されたコマンドを実行し、ユーザがコンテンツ受信者または受信グループを選択できるように、コンテンツデータ出力設備においてメニューおよび関連オプションと機能ユニットを表示し、ユーザが、配信予定のコンテンツを作成または選択し、且つ、配信予定のコンテンツに関連する保存可能な時間制限（例えば、所定のコンテンツに保存された開始時間及び／又は終了時間）を設定、送信及び／又は保存することができる。これによって、受信者または受信グループは、開始時間から終了時間までの期間に配信予定のコンテンツにアクセスすることができる。ユーザが開始時間のみを設定した場合は、配信予定のコンテンツは開始時間より無制限にアクセスすることができる。一方で、ユーザが終了時間のみを設定した場合では、配信予定のコンテンツが送信された時点以降、且つ終了時間までにアクセスすることができる。選択および設定の操作が完了した後、前記プロセッサは、保存されたコマンドを実行して、ユーザの入力ポートでの選択または設定される制限に応じて、前記選択または規定に基づいたコンテンツ情報（例えば、ある使用者／会社とその他の会社との合併または合併の情報発表、個人のプロモーション情報、送信者が特定者／グループまたは機関に対して所定の指示及び／又は遺嘱を提出することなど）を作成、保存及び／又は直接送信する。前記コンテンツ情報は、前記時間制限が解消された後に、受信者がアクセスすることができる。時間コンテンツカプセルの使用の詳細については後述する。
【００１４】
本開示のいつくかの実施形態によれば、位置コンテンツカプセルを使用する場合、コンテンツ配信装置のプロセッサは、保存されたコマンドを実行し、コンテンツデータ出力設備においてメニュー、関連オプションおよび機能ユニットを表示する。これによって、ユーザがコンテンツの受信者または受信グループを選択し、配信予定のコンテンツを作成または選択し、配信予定のコンテンツの送信及び／又は保存に関連する物理的位置制限（例えば、受信者が配信予定のコンテンツの指定される物理的位置および位置範囲または近接距離、すなわち、受信者または受信グループが指定された物理的位置および位置範囲内に到達する時に配信予定のコンテンツにアクセスすることができる）を設定することができる。選択および設定の操作が完了した後、前記プロセッサは、ユーザの入力ポートで行われた選択または設定された制限に応じて、前記選択または制限に基づいたコンテンツ情報（例えば、ビジネスおよび特定イベント／活動の時間限定のプロモーションやセール情報など）を作成、保存及び／又は直接送信するように、保存されたコマンドを実行する。前記コンテンツ情報は、受信者が前記制限を解消した後に、アクセスすることができる。位置コンテンツカプセルの使用の詳細については後述する。
【００１５】
本開示によるその他の実施形態においては、生命コンテンツカプセルを使用する場合、コンテンツ配信装置のプロセッサは、保存されたコマンドを実行し、コンテンツデータ出力設備においてメニュー、関連オプションおよび機能ユニットを表示する。これによって、ユーザがコンテンツ受信者または受信グループを選択し、配信予定のコンテンツを作成または選択し、配信予定のコンテンツの送信及び／又は保存に関連するユーザ状態制限、例えば、ユーザ（特にコンテンツ送信者）のオンライン／アクティビティー時間、ユーザのオフライン／非アクティビティー時間モード、継続時間の閾値及び／又はリクエストされたユーザ（特にコンテンツの送信者）の生理学的パラメーターまたはバイタルサインデータまたは情報、すなわち、送信者の生命状態が変化したことを確認した場合にのみ、選定されたコンテンツの受信者または受信グループが送信者からの配信予定のコンテンツまたは遺嘱にアクセスすることができるように、設定することができる。選択および設定の操作が完了した後、前記プロセッサは、保存されたコマンドを実行し、ユーザ入力ポートで行われた選択または設定された制限に応じて、前記選択または制限に基づいたコンテンツ情報を作成または保存する。前記プロセッサは、タイマーを操作して、ユーザ生理的パラメーターまたはバイタルサインデータ／情報、またはユーザ状態を追跡および保存することができる。好ましくは、ユーザのオンライン／アクティビティー時間、ユーザのオフライン／非アクティビティー時間モード及び／又は継続時間を含む。前記プロセッサが結果を追跡し、ユーザに検証情報を送信してユーザ状態を確認することは好ましい。これによって、ユーザ状態を更新またはリセットするか、及び／又は確認または更新された前記ユーザ状態に基づくことかで、受信者または受信グループを選定して、前記選択または予定された制限に基づくコンテンツ情報を送信する。例えば、送信者が死亡後に特定者／グループまたは機関に送信したい所定の指示及び／又は遺嘱などが挙げられる。前記コンテンツ情報は、送信者状態制限が解消された後にしか選定されたコンテンツの受信者または受信グループがアクセスできない。生命コンテンツカプセルの使用の詳細については後述する。
【００１６】
いくつの実施形態においては、位置コンテンツカプセル及び／又は生命コンテンツカプセルを用いて特定のコンテンツを伝送する時、サーバーは、まず指定された受信者または受信者グループのコンピューティング設備に、関連の通知メッセージのみを送信し、具体的な／完全なコンテンツを送信しない。
【００１７】
いくつの実施形態においては、生命コンテンツカプセルを使用する場合、サーバーは、システムに規定された送信者の非アクティビティー状態が所定の閾値を超える場合にのみ、指定された受信者または受信者グループのコンピューティング設備に関連する通知メッセージを送信する。なお、ここに送信されたのは、具体的な／完全なコンテンツではないことを留意されたい。通知メッセージを受信すると、受信者がコンピューティング設備のＧＵＩで開かれていないコンテンツのコンテンツ送信者およびコンテンツ（所定時間１および所定位置１）を開く必要な条件を確認することができる。ユーザは、メッセージをクリックすると、コンピューティング設備がサーバーにリクエストを送信することをトリガーし、完全なコンテンツを開く必要な条件が満たされているかどうかを確認する。
【００１８】
いくつの実施形態においては、時間コンテンツカプセルを使用する場合、サーバーは、コンテンツに関連する所定時間１を使用してサーバーがリクエストを受信する時間（サーバー時間）を検証する。なお、以下の条件を満たした場合、サーバーがコンテンツを解消済みとして標示し、且つ、応答中に完全なコンテンツを返す。
【００１９】
上記の条件は、
サーバー時間は、タイムゾーンを考慮した上で、所定時間１またはそれ以降に達する。
【００２０】
いくつの実施形態においては、位置コンテンツカプセルを使用する場合、物理的位置（位置２）、国識別コード（ＭＣＣ、Ｍｏｂｉｌｅ  Ｃｏｕｎｔｒｙ  Ｃｏｄｅ）、及び事業者識別コード（ＭＮＣ、Ｍｏｂｉｌｅ  Ｎｅｔｗｏｒｋ  Ｃｏｄｅ）（適用可能または利用可能な場合）がコンピューティング設備により収集される。これらの情報は、リクエストに含まれて、サーバーに送信される。サーバーがリクエストを受信する時、リクエストが送信された送信元ＩＰとリクエストが受信された時間（サーバー時間）も収集される。以下の条件が満たされた場合にのみ、サーバーは、コンテンツをロック解消済みとしてマークし、且つ応答中に完全なコンテンツを返す。
【００２１】
サーバー時間が、タイムゾーンを考慮した場合、所定時間１またはそれ以降であり、且つ、位置２が、前記コンテンツの所定位置１の特定の範囲内であること、
および、
ＭＣＣ／ＭＮＣから取得した国が、前記コンテンツの所定位置１と同じであるか、または、  送信元のＩＰから取得した国が、前記コンテンツの所定位置１と同じであること。
【００２２】
いくつの実施形態においては、生命コンテンツカプセルを使用する場合、以下の条件が満たされた場合にのみ、サーバーは、コンテンツをロック解消済みとしてマークし、且つ応答中に関連するまたは完全なコンテンツを返す。
送信者の非アクティビティーまたはオフラインの継続時間は、システムが規定した時間閾値を超える。
【００２３】
いくつの実施形態においては、サーバーが応答中に関連するまたは完全なコンテンツを返す時、前記コンテンツは、視聴のために、コンピューティング設備に保存される。
【００２４】
本開示によれば、時間および場所に基づいたアクティベーション操作により、エンドユーザがカスタマイズおよび制御することができるコンテンツ（例えば、テキスト、ビデオ、画像、音声情報）を伝送する。
【００２５】
また、本開示は、予め設定された少なくとも１つの制限またはロック条件を有する標準コンテンツカプセルを設置または作成および送信し、且つ、所定の日付及び時間及び／又は位置（近接距離）の検出および比較の結果により、または、指定されたユーザまたはコンテンツの送信者の死亡確認により、前記少なくとも１つの制限またはコンテンツカプセルのアクティブ化またはロック解除を行う。送信者の死亡確認は、送信者またはその操作コンテンツ配信装置のオンライン／アクティビティー時間、オフライン／非アクティビティー時間モードの変化及び／又は継続時間により検出および確定することが好ましい。いくつの実施形態においては、送信者が使用する多機能携帯電話またはそのアプリケーションのオンライン／アクティビティー時間、オフライン／非アクティビティー時間の変化、及び／又は継続時間を検出および検証することで、送信者の生命状態を確定することができる。多機能携帯電話の使用は、ほとんどの人の日常生活で不可欠になっているため、多機能携帯電話またはその特定のアプリケーションが長時間使用されないことは、多機能携帯電話の所用者または内容送信者の健康、生活または生命状態が大きく変化し、つまり、送信者が死亡した可能性が高い。この場合、以前指定されたコンテンツはが予定どおりに応じて指定された受信者に配信することができる。
【００２６】
いくつの実施形態においては、コンテンツ配信装置は、多機能時計（Ａｐｐｌｅ  ｗａｔｃｈとＡｎｄｒｏｉｄ  ｗｅａｒとを含む）、多機能指輪、多機能眼鏡、またはその他の使用者生理的パラメーター（心拍数、体温、血圧、皮膚抵抗、脳波、呼吸数、血中酸素飽和度などの一つまたは複数の項）などのバイタルサインを測定できるウェアラブルデバイスなどの多機能ウェアラブルデバイスと操作可能に接続され、且つ協調して操作することができる。これによって、送信者の生命状態を確認するために、リアルタイムの測定結果または特定の時間または期間の測定結果をコンテンツ配信装置に送信することができる。また、測定結果と事前に保存された特定の使用者／送信者の履歴データとの比較により、送信者がまだ生きているかどうかを判断する直接または補助的な証拠として使用して、現在の使用者が特定の使用者であるかどうかを確認することができる。いくつの実施形態においては、少なくとも１つの制限またはロック条件を有するコンテスト／プロモーションコンテンツカプセルを作成および設定し、所定の日付および時間及び／又は位置（近接距離）の検出および比較の結果により、前記コンテンツカプセルをアクティブ化またはロック解消することが許可される。
【００２７】
いくつの実施形態においては、一連のコンテスト／プロモーションコンテンツカプセルの作成と設置が許可され、また、順次アクティベーションが許可される（すなわち、ユーザが順次第１とそれ以降の第２のコンテンツカプセルを順番にアクティベートすることを要件とする。ここでの第２のコンテンツカプセルのアクティベーションは、第１のコンテンツカプセルのアクティベーションの結果に依存する）。
【００２８】
いくつの実施形態においては、本開示は、過去ではなく未来の日付に任意のコンテンツカプセルを設定する。及び／又はその他の指定されたユーザが所要の位置（または近接位置の範囲内）でコンテンツカプセルを開くかまたはアクティベートすることを規定する。及び／又はその他の指定されたユーザが所定の期間内にコンテスト／プロモーションコンテンツカプセルを開くかまたはアクティベートできるが、期限切れまたは所定の期間外のコンテンツカプセルを開くこともアクティベートすることもできない。及び／又は指定されたコンテンツカプセル受信者は、送信者が死亡後または非アクティビティー時間が継続で所定の閾値を超える場合、設定された生命コンテンツカプセルまたは関連情報／通知を受信することを規定する。
【００２９】
本開示の他の観点は、コンテンツ配信装置であって、操作可能に接続されるプロセッサと、ユーザ入力ポートと、コンテンツデータ出力設備とを備え、前記プロセッサは、保存されたコマンドを実行し、前記コンテンツデータ出力設備にメニューを表示し、コンテンツの受信者または受信グループを選択し、配信予定のコンテンツを作成または選択し、配信予定のコンテンツに関連する一つまたは複数の所定の制限を送信及び／又は保存し、前記所定の制限は、アクセス可能な時間制限、アクセス可能な位置制限及び／又はユーザ状態制限を含み、前記プロセッサは、保存されたコマンドを実行し、前記ユーザ入力ポートで行われた選択または所定の制限に応じて、前記選択または所定の制限に基づいたコンテンツ情報を作成、保存及び／又は直接送信し、前記コンテンツ情報を保存して直接送信しない場合、前記プロセッサは、タイマーを操作してユーザ状態を追跡および保存し、前記ユーザ状態は、ユーザのオンライン／アクティビティー時間と、ユーザのオフライン／非アクティビティーの時間モード及び／又は継続時間とを含み、前記プロセッサは、追跡結果に応じて、検証情報を送信してユーザ状態を確認し、コンテンツの送信者の送信者状態を更新またはリセットするか、及び／又は確認または更新された前記ユーザ状態に基づいて、選定された受信者または受信グループに、前記選択または所定の制限に基づいたコンテンツ情報を送信する、ことを特徴とするコンテンツ配信装置に関する。
【００３０】
いくつの実施形態においては、前記アクセス可能な時間制限は、配信予定のコンテンツがアクセス可能な特定の時間または時間範囲を含み、及び／又は前記アクセス可能な位置制限は、配信予定のコンテンツがアクセス可能な特定の領域または領域の範囲を含み、及び／又は前記ユーザ状態制限は、配信予定のコンテンツがアクセス可能な特定の状態または条件であり、ユーザのオンライン／アクティビティー時間、ユーザのオフライン／非アクティビティー時間モードの変化、及び／又は継続時間を含む。
【００３１】
他の実施形態においては、前記検証情報は、対話型の電子メール、ＳＭＳ、ＭＭＳ、及び／又はリアルタイム通信ソフトウェアに基づくクエリ情報を含み、応答の受信によりユーザ状態を確認し、対応の応答を受信する場合、前記プロセッサは、ユーザ状態をリセットし、そうでない場合、所定の状態または閾値に達するまでユーザ状態を更新し、及び／又は選定された受信者または受信グループに、前記選択または所定の制限に基づいたコンテンツ情報を送信する。
【００３２】
いくつの実施形態においては、前記プロセッサは、前記選択または所定の制限に基づいたコンテンツ情報を形成し、前記コンテンツデータ出力設備に情報または提示を表示し、前記コンテンツ情報は、所定の制限の解消に関連するリセット可能なパラメーターまたは累増可能な変数の状態または数値を含み、前記状態または数値が所定値または閾値になると、前記プロセッサは、選定された受信者または受信グループに、前記選択または所定の制限に基づいたコンテンツ情報を送信し、及び／又は前記コンテンツ情報は、前記コンテンツの少なくとも１つの部分または要約部分の情報及び／又は完全な前記コンテンツまたはコンテンツデータにアクセスする際に満たす必要な条件または解消されたい制限を提示する関連情報を含む。
【００３３】
いくつの実施形態においては、前記コンテンツデータ出力設備は、表示パネルであり、前記コンテンツデータは、前記表示パネルに表示されるウェブリング、ビデオデータ及び／又はテキストデータを含む。
【００３４】
本開示の他の観点では、コンテンツ配信装置であって、プロセッサを備え、前記プロセッサは、保存されたコマンドを実行すると、ユーザのリクエストまたは自動生成された時間順のリクエストに応じて、選定されたコンテンツの受信者または受信グループと、コンテンツへのアクセスに関連する一つまたは複数の所定の制限のコンテンツ情報とを提供し、前記所定の制限は、アクセス可能な時間制限、アクセス可能な位置制限及び／又は送信者状態制限を含み、前記プロセッサは、保存されたコマンドを実行し、現在のユーザが選定されたコンテンツの受信者または受信グループに属するかどうか、および前記所定の制限に応じて前記所定の制限が満たされているかまたは解消されたかどうかを検出し、前記コンテンツ情報を提供するかどうかを確定し、送信者状態を検出する場合、前記プロセッサは、タイマーを操作してユーザ状態を追跡または保存し、前記ユーザ状態は、ユーザのオンライン／アクティビティー時間、ユーザのオフライン／非アクティビティー時間モード及び／又は継続時間を含み、前記プロセッサは、追跡結果により、検証情報を送信して、ユーザ状態を確認し、ユーザ状態を更新またはリセットし、及び／又は確認または更新された前記ユーザ状態に基づいて、選定された受信者または受信グループに前記コンテンツ情報を送信する、ことを特徴とするコンテンツ配信装置に関する。
【００３５】
いくつの実施形態においては、前記所定の制限が満たされているかどうかまたは解消されたかどうかを検出する時、前記プロセッサは、保存されたコマンドを実行し、現在の時間がアクセス可能な時間制限を満たしているかどうか、現在の位置座標がアクセス可能な位置制限を満たしているかどうか、及び／又は現在の送信者状態が送信者状態制限を満たしているかどうかを検出し、前記コンテンツ情報を提供するかどうかを確定し、及び／又は前記検証情報は、対話型の電子メール、ＳＭＳ、ＭＭＳ、及び／又はリアルタイム通信ソフトウェアに基づくクエリ情報を含み、応答の受信によりユーザ状態を確認し、対応の応答を受信する場合、前記プロセッサは、ユーザ状態をリセットし、そうでない場合、所定の状態または閾値に達するまでユーザ状態を更新し、及び／又は選定された受信者または受信グループに、前記選択または所定の制限に基づいたコンテンツ情報を送信し、及び／又は前記コンテンツ情報は、前記コンテンツの少なくとも１つの部分または要約部分の情報及び／又は完全な前記コンテンツまたはコンテンツデータにアクセスする際に満たす必要な条件または解消されたい制限を提示する関連情報を含む。
【００３６】
他の実施形態においては、前記所定の制限が満たされたかどうかまたは解消されたかどうかを検出する時、前記プロセッサは、保存されたコマンドを実行し、現在時間がアクセス可能な時間制限に規定された情報公開時間よりも早く、またはアクセス可能な時間制限に規定された情報開示の期間内にあるかどうかを検出し、前記コンテンツ情報を提供するかどうかを確定する。
【００３７】
他の実施形態においては、前記所定の制限が満たされたかどうかまたは解消されたかどうかを検出する時、前記プロセッサは、保存されたコマンドを実行し、現在の位置座標をリクエストし、検出された前記位置座標が対応するモバイル通信事業者のＭＣＣおよびＭＮＣコードと一致するかどうか、及び／又は検出された前記位置座標と現在のＩＰソースの位置とは同一国または地域に属するかどうかを検出し、前記コンテンツ情報を提供するかどうかを確定する。
【００３８】
本開示のもう一つの観点は、コンテンツ配信に用いられるシステム、前記システムは、接続される操作可能な少なくとも１つの前記装置に関する。
【００３９】
本開示のもう一つの観点は、コンテンツ配信方法であって、  プロセッサは保存されたコマンドを実行し、前記コンテンツデータ出力設備にメニューを表示し、コンテンツ受信者または受信グループを選択し、配信予定のコンテンツを作成または選択し、配信予定のコンテンツの送信及び／又はアクセスに関連する一つまたは複数の所定の制限を作成または選択するステップであって、前記所定の制限は、アクセス可能な時間制限、アクセス可能な位置制限及び／又はユーザ状態制限を含む、ステップと、  前記プロセッサは、保存されたコマンドを実行し、前記ユーザ入力ポートで行われた選択または所定の制限に応じて、前記選択または所定の制限に基づいたコンテンツ情報を作成、保存及び／又は直接送信するステップと、  前記コンテンツ情報を保存して直接送信しない場合、前記プロセッサは、タイマーを操作して、ユーザ状態を追跡および保存するステップであって、前記ユーザ状態はユーザのオンライン／アクティビティー時間、ユーザのオフライン／非アクティビティー時間モード及び／又は継続時間を含む、ステップと、  前記プロセッサは、追跡結果により、検証情報を送信して、ユーザ状態を確認し、ユーザ状態を更新またはリセットするか、及び／又は確認または更新された前記ユーザ状態に基づいて、選定された受信者または受信グループに、前記選択または所定の制限に基づいたコンテンツ情報を送信するステップとを含む、ことを特徴とするコンテンツ配信方法に関する。
【００４０】
本開示の他の観点は、コンテンツ配信方法であって、  プロセッサは、保存されたコマンドを実行し、ユーザのリクエストまたは自動生成された時間順のリクエストに応じて、選定されたコンテンツの受信者または受信グループと、コンテンツのアクセスに関連する一つまたは複数の所定の制限のコンテンツ情報とを提供するステップであって、前記所定の制限は、アクセス可能な時間制限、アクセス可能な位置制限及び／又は送信者状態制限を含むステップと、  前記プロセッサは、保存されたコマンドを実行し、前記所定の制限に応じて、現在のユーザが選定されたコンテンツの受信者または受信グループに属するかどうか、現在の時間がアクセス可能な時間制限を満たしているかどうか、位置座標がアクセス可能な位置制限を満たしているかどうか、及び／又は現在の送信者状態が送信者状態制限を満たしているかどうかを検出し、前記コンテンツ情報を提供するかどうかを確定するステップと、  送信者状態を検出する時、前記プロセッサは、タイマーを操作してユーザ状態を追跡および保存するステップであって、前記ユーザ状態は、ユーザのオンライン／アクティビティー時間、ユーザのオフライン／非アクティビティー時間モード及び／又は継続時間を含むステップと、  前記プロセッサは、追跡結果により、検証情報を送信し、ユーザ状態を確認し、ユーザ状態を更新またはリセットし、及び／又は確認または更新された前記ユーザ状態に基づいて、選定された受信者または受信グループに、前記コンテンツ情報を送信するステップとを含む、ことを特徴とするコンテンツ配信方法に関する。
【００４１】
本開示およびＡに示すように、例示的なコンテンツ配信装置又はシステムは、通信ネットワークに接続された多機能携帯電話とサーバーとを含む。前記通信ネットワークは、電気通信ネットワーク、コンピューターネットワーク及び／又はインターネットを含む。多機能携帯電話は、携帯型モバイル機器の例であり、一般的には、本体、マイクロプロセッサー、メモリ、表示パネル並びにその他の入出力インターフェースおよび電気通信インターフェースを含む。入出力インターフェースは、キーボード、ＵＳＢポート、ワイヤレスデータ又はＷＬＡＮポートであり、または、入力デバイスと出力デバイスの両方として使用できるタッチスクリーンパネルを含む。多機能携帯電話のほとんどのコンポーネント（例えば、マイクロプロセッサー、メモリ、表示パネル、入出力インターフェース及び／又は電気通信インターフェースなど）は、プリント回路基板に実装される、または、モジュールに組み込まれている。
【００４２】
本開示によるコンテンツデータ操作（ユーザ登録、ユーザアカウント識別、コンテンツデータ準備、コンテンツデータ受信、コンテンツデータ配信、コンテンツ配信制御および追跡を含む）を進めるアプリケーションは、ダウンロードされ、コンテンツ配信操作を開始する前に常駐プログラムとして多機能携帯電話のメモリに保存される。メモリに格納されたコマンドが実行されると、プロセッサはアプリケーションをロードし、ユーザインタラクティブ操作を行うために、表示パネルにグラフィカルユーザーインターフェースなどのユーザインターフェースを形成する。次に、ユーザは、ユーザインターフェースを介して多機能携帯電話とインタラクティブをすることで、登録、コンテンツデータの選択、生成、および伝送をするための例示的なコンテンツ配信装置として操作する。コンテンツデータは、ビデオデータ、オーディオデータ、またはその他のデジタルデータを含むことができる。
【００４３】
操作の起動を進めるために、常駐アプリケーションの起動時にプロセッサがログイン画面を形成する。ログイン画面は、ユーザのログインおよび新規ユーザ登録のアイコンを表示する。本開示によるインタラクティブ操作に関与するために、ユーザは最初にアカウントを登録して取得するか、またはログインページで開始する必要がある。ユーザアカウントおよびパスワードを取得するためには、新規ユーザがユーザ名、性別、電子メールアドレス、携帯電話番号及び／又は年齢、国籍、職業、家族の状態などのその他のプロファイル情報などの個人情報を提供する必要がある。上記の個人情報を含むユーザプロファイル／データ情報／構成ファイルは各ユーザアカウントに設定され、且つリモートサーバーまたはホームサーバーに保存される。サーバーは一般性を失うことなく、分散型サーバーであっても良い。
【００４４】
本明細書におけるコンテンツデータは、一般性を失うことなく、オーディオデータ、ビデオデータ、テキストデータ、画像データ、デジタルデータ及び／又は統一資源識別子（ＵＲＩ、Ｕｎｉｆｏｒｍ  Ｒｅｓｏｕｒｃｅ  Ｉｄｅｎｔｉｆｉｅｒ）またはそれらの任意の組合せを含むことができる。
【００４５】
本開示の例示的な用途では、例示的なコンテンツ配信装置としての多機能携帯電話から送信されたコンテンツデータの転送リクエストは、サーバー（例えば、リモートサーバー／クラウドサーバー）によって受信される。コンテンツデータリクエストを受信すると、リモートサーバーがユーザ認証を実行する。適切な認証により、後続の操作のために、コンテンツデータリクエストが許可されたソース（例えば、専用アプリケーションおよび指定された受信者など）から発信されたことを確定することができる。
【００４６】
図２は、本開示による例示的な生命コンテンツカプセルのコンテンツ情報伝送の論理フローチャートを示している。本実施形態において、装置又はシステムがユーザの非アクティビティーまたはオフライン継続時間が規定された閾値を超えたことを検出すると、ユーザの未送信の遺言書または特定の情報があるかどうかを検出する。もしある場合、ユーザに電子メールまたは通知を選択的に送信することができ、ユーザが電子メールまたは通知を応答すると、装置又はシステムはユーザの最新のアクティビティー時間を更新する。応答しない場合、ユーザが他の連絡手段または方式があるかどうか（例えば、登録された電話番号があるかどうか）を検出する。ある場合、ＳＭＳ、ＭＭＳ、及び／又はリアルタイム通信ソフトウェアに基づいたクエリ情報をユーザに送信する。ユーザが時間内に応答した場合、装置又はシステムは、ユーザの最新アクティビティー時間を更新し、応答しない場合、送信者が指定した情報を受信する個人またはグループに、遺言書情報または特定情報の通知を送信する。
【００４７】
図３は、本開示による例示的な時間及び／又は位置コンテンツカプセルを抽出するコンテンツ情報の論理チャートを示している。本実施形態において、ユーザが関連情報または内容を抽出する際、システムまたはサーバーはユーザが指定された受信者であるかどうかを検出する。結果が否である場合、ユーザの抽出リクエストは拒否され、そうでない場合、サーバーは、現在時間が設定された情報オープン時刻より遅いかどうかを判断する。結果が否である場合、ユーザの抽出リクエストが拒否され、そうでない場合、抽出位置の座標制限などのその他の制限があるかどうかを検出する。結果が否である場合、情報のコンテンツが返され、その以外の場合、位置座標、運営会社のＭＣＣ及び／又はＭＮＣコードをリクエストする。リクエストが失敗する場合、ユーザの抽出リクエストが拒否され、そうでない場合、位置座標が情報抽出の位置座標の所定の範囲内（例えば、５０メートル以内）にあるかどうかを検出する。結果が否である場合、ユーザの抽出リクエストが拒否され、そうでない場合、選択的に、リクエストの送信元ＩＰソースの位置と位置座標が同じ国に属するかどうかを検出する。図３に示すように、結果が否である場合、ユーザの抽出リクエストが拒否され、そうでない場合、情報コンテンツが返される。
【００４８】
本開示の別の実施形態は、コンテンツ配信方法に関し、送信者が時間コンテンツカプセルを操作する時、任意のコンテンツ配信装置またはコンピューティング設備（多機能携帯電話、タブレットコンピューター、ラップトップコンピューター、デスクトップコンピューターなどを含む）で任意に組合せられたテキスト、画像、ビデオ、オーディオ及び／又はＵＲＩのコンテンツを作成することができ、且つ、送信者は、コンテンツの目標受信者または受信者グループを強制的に指定することができる。
【００４９】
また、前記コンテンツに対して、所定の日付、時間およびタイムゾーン（所定時間１）を強制的に指定することができる。これによって、所定時間１またはそれ以降しか前記コンテンツを読み取る（アクセスする）ことができない。
【００５０】
好ましくは、前記コンテンツに対して、規定外の所定の日付、時間およびタイムゾーン（所定時間２）を強制的に指定することができる。これによって、所定時間１またはそれ以降、および所定時間２以前に読み取られる（アクセスすることができる）。
【００５１】
いくつの実施形態においては、送信者が時間及び／又は位置コンテンツカプセルを操作する時、任意のコンピューティング設備（多機能携帯電話、タブレットコンピューター、ラップトップコンピューター、デスクトップコンピューターなどを含む）で任意に組合せられたテキスト、画像、ビデオ、オーディオ及び／又はＵＲＩのコンテンツを作成することができる。
【００５２】
送信者は、コンテンツの目標受信者または受信者グループを強制的に指定することができる。
【００５３】
また、前記コンテンツに対して、所定の日付、時間およびタイムゾーン（所定時間１）を強制的に指定することができる。これによって、所定時間１またはそれ以降しか前記コンテンツを読み取る（アクセスする）ことができない。
【００５４】
好ましくは、前記コンテンツに対して、規定外の所定の日付、時間およびタイムゾーン（所定時間２）を強制的に指定することができる。これによって、所定時間１またはそれ以降、および所定時間２以前に読み取られる（アクセスすることができる）。
【００５５】
また、好ましくは、前記コンテンツに対して、位置情報（所定位置１）を指定することができる。これによって、所定の時間１またはそれ以降、所定時間２（指定された場合）以前、および所定位置１の特定の範囲内にしか読み取られない（アクセスすることができない）。
【００５６】
いくつの実施形態においては、送信者が生命コンテンツカプセルを操作する時、任意のコンピューティング設備（多機能携帯電話、タブレットコンピューター、ラップトップコンピューター、デスクトップコンピューターなどを含む）で任意に組合せられたテキスト、画像、ビデオ、オーディオ及び／又はＵＲＩのコンテンツを作成することができ、且つ、コンテンツの目標受信者または受信者グループを強制的に指定することができる。
【００５７】
同様に、受信者が時間コンテンツカプセルを操作する時、コンテンツ配信装置またはコンピューティング設備にて時間に基づいたコンテンツの受信に関する通知を受信することができる。
【００５８】
このコンテンツは、指定された所定時間１またはそれ以降しか開くことができない。指定された所定時間２がある場合、コンテンツは、所定時間２以降にロックされ、読み取ることができなくなる（アクセスできなくなる）。
【００５９】
いくつの実施形態においては、受信者が位置コンテンツカプセルを操作する時、コンテンツ配信装置またはコンピューティング設備にて時間に基づいたコンテンツの受信に関する通知を受信することができる。
【００６０】
コンテンツは、指定された所定時間１またはそれ以降、および指定された物理的的な位置の特定の範囲内にしか開くことができない。
【００６１】
指定された所定時間２がある場合、コンテンツは、所定時間２以降ロックされ、読み取ることができなくなる（アクセスできなくなる）。
【００６２】
いくつの実施形態においては、受信者が生命コンテンツカプセルを操作する時、システムにて規定された送信者の非アクティビティー時間、またはオフラインの時間が所定の閾値を超える時に、コンテンツ配信装置またはコンピューティング設備で生命に基づいたコンテンツの受信に関する通知を受信することができる。
【００６３】
好ましくは、前記コンテンツは、追加の制限なしでのみ開くことができる。これによって、送信者が指定した受信者は、情報へのアクセスを確保することができる。
【００６４】
図面を参照しながら、例示的な方式により、本開示を説明したが、例および図面は例示であり、本開示の範囲を限定するものではない。例えば、多機能携帯電話は例示的なコンテンツ配信装置として使用されているが、デスクトップコンピューター、ポータブルコンピューター、ラップトップまたはノートコンピューター、タブレットコンピューター、スマートテレビ、またはゲームコンソールも、一般性を失うことなく、コンテンツ配信装置として使用することができる。
【図１】
2020529082.tif 000003
【図１Ａ】
2020529082.tif 000004
【図２】
2020529082.tif 000005
【図３】
2020529082.tif 000006
【国際調査報告】
2020529082.tif 000007
2020529082.tif 000008
2020529082.tif 000009
2020529082.tif 000010